(57)【要約】【課題】  封書の受取人が早期に、封書を入手できるようにすること。【解決手段】  封筒原紙を折り曲げて重なり合った部分を貼り合わせることにより封筒を作成するとともに前記封筒に封入対象を封入する封書作成装置２３００と、封入対象と前記封筒とに印刷するデータを送信する送信装置１０００と、送信装置１０００によって送信されたデータに基づいて前記印刷を行う印刷装置２２００とを備え、封書作成装置２３００側及び印刷装置２２００側と送信装置１０００側とをネットワーク３０００を介して接続している。【選択図】    図６
2007105885.tif 000002
【特許請求の範囲】
【請求項１】
搬送されてきた用紙に画像を印刷する印刷部と、
前記印刷部によって画像が印刷された用紙を折り畳むことで封書とする封書作成部と、
前記印刷部と前記折り畳み部との間に前記用紙の印刷面を秘匿する秘匿部とを備える封書作成装置。
【請求項２】
用紙に画像を印刷する印刷装置の搬出先に取り付け可能であって、
前記印刷装置から搬出された用紙を折り畳むことで封書とする封書作成部と、
前記印刷装置と前記折り畳み部との間に前記用紙の印刷面を秘匿する秘匿部とを備える封書作成装置。
【請求項３】
前記封書作成部によって封書を作成するのに先立って、当該封書内となる位置に内容物を搬送する搬送部を備える、請求項１又は２記載の封書作成装置。
【請求項４】
前記内容物を折り畳む折り畳み部を備える、請求項３記載の封書作成装置。
【請求項５】
前記内容物は、ファクシミリ受信データ又はディジタル画像データを印刷した印刷物である、請求項３記載の封書作成装置。
【請求項６】
前記封書となる用紙を収容する第１収容部と、前記内容物となる用紙を収容する第２収容部とを備える、請求項３から５のいずれか記載の封書作成装置。
【請求項７】
前記第１の収容部と前記第２の収容部とに収容される用紙はそれぞれ矩形状であり、長辺が相互に直交する態様で収容されている、請求項６記載の封書作成装置。
【請求項８】
封書作成装置内部で用紙詰まりが発生したことを検知する検知部と、前記検知部で用紙詰まりが発生したことを検知したときに当該用紙の印刷面を人間が視覚によって認識できないように改変する改変部とを備える、請求項１から７のいずれか記載の封書作成装置。
【発明の詳細な説明】
【技術分野】
【０００１】
本発明は、封書作成装置に関し、特に、内容物に秘匿性が要求される封書作成装置に関する。
【背景技術】
【０００２】
近年、コンビニエンスストアなどの小売店では、ファクシミリの受信サービスを行っている。また、写真店などでは、ディジタルカメラの撮影データを印刷するプリントサービスを行っている。
【０００３】
しかし、受信したファクシミリの文書データ、印刷した撮影データは、少なくとも店員等が内容を見得る状況にあり、サービスを受ける者のプライバシーが守られていないのが現状である。
【０００４】
ところで、特許文献１には、本発明者による、封筒作成用原紙と、その封筒作成用原紙を用いた封筒の作成方法について開示されている。この発明によると、汎用サイズの紙を用いて封筒が作成できるという優れた効果がある。
【０００５】
本発明者は、その後、研究開発を進め、封書作成装置を実現し、更には、上記データのように、内容物に秘匿性が要求される場合に、それを担保するのに好適な封書作成装置を実現するに至った。
【０００６】
【特許文献１】特許第３４９４２０６号
【発明の開示】
【課題を解決するための手段】
【０００７】
上記課題と解決するために、本発明の封書作成装置は、
搬送されてきた用紙に画像を印刷する印刷部と、
前記印刷部によって画像が印刷された用紙を折り畳むことで封書とする封書作成部と、
前記印刷部と前記折り畳み部との間に前記用紙の印刷面を秘匿する秘匿部とを備える。
【０００８】
また、本発明の封書作成装置は、
用紙に画像を印刷する印刷装置の搬出先に取り付け可能であって、
前記印刷装置から搬出された用紙を折り畳むことで封書とする封書作成部と、
前記印刷装置と前記折り畳み部との間に前記用紙の印刷面を秘匿する秘匿部とを備える。
【０００９】
このような封書作成装置は、特に、封書内面に内容が印刷された場合に、その内容の秘匿性が担保できるという効果がある。通常、封書外面には、その封書の宛名等が印刷されるであろう。なお、上記用紙は、内容の秘匿性が担保できるような条件のものであれば、厚さ、色、サイズ、形状等は限定されない。例えば、秘匿性を担保するために、厚手（０．２ｍｍ程度の厚さ）としてもよいし、黒などの暗色を用いてもよいし、Ａ４サイズなどの汎用サイズでもよいし、ひし形などでもよい。
【００１０】
なお、前記封書作成部によって封書を作成するのに先立って、当該封書内となる位置に内容物を搬送する搬送部を備えるとよい。この場合、特に、封書と内容物とが別の用紙に印刷された場合に、その内容の秘匿性が担保できるという効果がある。もちろん、封書内面に内容が印刷されていることを妨げるものではない。例えば、この封書作成装置が、いわゆるディジタルプリントサービスの提供にあたり使用する場合には、封書外面には発注者名、封書内面に発注内容等を印刷し、内容物としてディジタル画像を印刷した印画紙が封入されることが考えられる。
【００１１】
なお、前記内容物を折り畳む折り畳み部を備えることもできる。この場合、内容物は、一般的には、ファクシミリ受信データなどが印刷される、Ａ４サイズ等の普通紙であろう。
【００１２】
また、前記封書となる用紙を収容する第１収容部と、前記内容物となる用紙を収容する第２収容部とを備えるとよい。なお、印刷部を備える封書作成装置の場合には、第１収容部と第２収容部とを、それらの概形が相互に直交する態様で設けられているとよい。一方、印刷装置の搬出先に取り付け可能な封書作成装置の場合には、例えば、第１収容部及び第２収容部を既存の二段給紙トレーとしてもよい。この際、各トレーに収容される用紙サイズは、同じでもよいし、違っていてもよい。一例としては、封書となる用紙を、内容物となる用紙よりも相対的に大きくすることが考えられる。他の例として、二段給紙トレーが仮にＡ５サイズの用紙を収容できる場合には、各トレーにＡ４サイズの用紙を長辺が直交する態様で収容することもできる。もちろん、図５等を用いて説明するように、内容物となる用紙を回転させる機構を設けることで、用紙の向きを気にせずに収容することもできる。
【００１３】
なお、封書作成装置内部で用紙詰まりが発生したことを検知する検知部と、前記検知部で用紙詰まりが発生したことを検知したときに当該用紙の印刷面を人間が視覚によって認識できないように改変する改変部とを備えると好ましい。
【００１４】
典型的には、封書作成装置内に、インク突出部を適当な間隔で配設することが考えられる。
【発明を実施するための最良の形態】
【００１５】
図１は、本発明の実施形態の封筒に係る封筒作成用原紙１の模式図である。封筒作成用原紙１は、例えば、Ａ４サイズの紙の表面に、四角形（ここでは例えば２３０ｍｍ×１００ｍｍの大きさの長方形）の封筒主面６を設け、封筒主面６の上側に第一裏面５、封筒主面６の下側に第二裏面７、封筒主面６の右側に右主側面３、封筒主面６の左側に左主側面９という、外部領域をそれぞれ設けている。
【００１６】
Ａ４サイズの紙の四隅である、第一裏面５の右側に右第一側面２を、第一裏面５の左側に左第一側面８を、第二裏面７の右側に右第二側面４を、第二裏面７の左側に左第二側面１０を、それぞれ形成している。
【００１７】
第一裏面５と右第一側面２との間、第一裏面５と左第一側面８との間、第二裏面７と右第二側面４との間、および二裏面７と左第二側面１０との間に、各々、例えば三角形状の糊着部１１〜１４を設けている。第二裏面７の表面の外側周辺部の一部に、例えば短冊状の糊着部１５を設けている。
【００１８】
糊着は、後述する付着手段によって、これらの糊着部１１〜１５に糊を付してから、所要部分を重ね合わせた状態で加圧等することによって行う。これに代え、封筒の作成に先立って、熱圧着式、紫外線硬化式、放射線硬化式などの、粘着シート等の糊を付しておき、加熱や加圧等の処理を施して糊着を行ってもよい。
【００１９】
特許文献１に記載してあるように、糊着部１１〜１５の形状等は、種々のパターンとすることが可能である。また、レターサイズ（２１６ｍｍ×２７９ｍｍ）やエクゼクティブサイズ（１９１ｍｍ×２６７ｍｍ）の封筒を作成してもよい。さらには、和封筒を作成してもよい。
【００２０】
図２は、図１に示す封筒作成用原紙１を用いる封書の作成工程の概略図である。ここでは、封筒作成用原紙１上に封入対象２１を置いた状態で封書を作成するという、封入工程と作成工程とを一連で行う場合を例に説明する。
【００２１】
図２（ａ），図２（ｂ）に示すように、まず、封筒への封入対象２１（例えば三つ折にしたＡ４サイズの印刷物）を、封筒主面６の裏側に置く。つぎに、右主側面３と左主側面９とを各辺３ａ，９ａを基準として裏側へ折り曲げる。それから、右第一側面２と右第二側面４と左第一側面８と左第二側面１０とを、糊着部１１〜１４の裏側への折り曲げを開始する。つづいて、図２（ｃ）に示すように、糊着部１１〜１４を、裏側に折り曲げる。
【００２２】
なお、右第一側面２と右第二側面４と左第一側面８と左第二側面１０との折り曲げと、右主側面３と左主側面９との折り曲げとの開始順序は、上記の場合と逆にしてもよい。すなわち、まず、右第一側面２と右第二側面４と左第一側面８と左第二側面１０とを、糊着部１１〜１４の裏側への折り曲げを開始し、これらの折り曲げ中または折り曲げ後に、右主側面３と左主側面９とを各辺３ａ，９ａを基準として裏側へ折り曲げるようにしてもよい。
【００２３】
図２（ｄ）に示すように、第一裏面５と第二裏面７とを、各辺５ａ，７ａを基準として裏側（図面前側）に折り曲げる。最後に、糊着部１１〜１５に設けられている熱圧着シートで、または、糊を内包するマイクロカプセルを加熱や加圧等の処理をすることで、必要部分の糊着を行い、図２（ｅ）に示すように、封入対象２１を封入した封筒を完成させる。
【００２４】
この糊着に代えて、例えば各糊着部１１〜１５を折り曲げる際に、糊着部１１〜１５に糊付けを行い、上記各部２，４，８，１０，３，９を折り曲げた後に、糊着部１１〜１５に圧力をかけて糊着することも可能である。また、例えば各糊着部１１〜１５を折り曲げる前に、糊着部１１〜１５に糊付けを行うことも可能である。
【００２５】
図３は、図１に示す封筒作成用原紙１を用いて封筒の作成する封筒作成ユニット１００の主要構成部分の模式的な斜視図である。図３には、封筒作成用原紙１が裁置される裁置台６０を示している。裁置台６０には、封筒作成用原紙１が、図面右側に第二裏面７が位置し、図面左側に第一裏面５が位置し、かつ裏面が上（図面手前）向きになるように裁置される。
【００２６】
裁置台６０の上側には、裁置台６０に裁置された封筒作成用原紙１の封筒主面６を上部から押さえる押さえ部材５４が位置する。押さえ部材５４は、底面が長方形状で、短手方向に沿った断面が二等辺三角形状又は台形状である。押さえ部材５４は、図面ｘ方向及びｚ方向に移動可能に構成されている。押さえ部材５４のｘ方向の移動可能域の幅は、封筒主面６とほぼ同じ大きさの中央領域４８の短辺の幅と同じにしている。なお、中央領域４８は、封筒作成ユニット１００からの封筒の搬出のために、ｚ方向に移動するように構成されている。
【００２７】
押さえ部材５４には、ｘ方向を軸とした例えばゴム状のローラ５４ｅ，５４ｆ（図４（ｃ））が、いくつか（ここでは二つ）設けられている。ローラ５４ｅ，５４ｆは、後述するように、その底部が押さえ部材５４の底面よりも下に位置し、中央領域４８と共に封筒を挟んだ状態で回転させることにより、封筒作成ユニット１００の外部に搬出する搬出手段を構成している。
【００２８】
中央領域４８の四隅外側には、封筒主面６に対して、右第一側面２と右第二側面４と左第一側面８と左第二側面１０とを折り曲げる第二プレート３４，３６，３２，３０が、それぞれ配置されている。第二プレート３４，３６，３２，３０は、封筒作成用原紙１の折り曲げ時に、封筒主面６に向けて、水平方向（ｘｙ方向）に移動可能としている。
【００２９】
中央領域４８の四辺外側には、右主側面３と左主側面９とを封筒主面６に対して折り曲げる第三プレート４４，４０と、第一裏面５と第二裏面７とを封筒主面６に対して折り曲げる第四プレート４２，４６とが、それぞれ配置されている。第三プレート４４，４０と第四プレート４２，４６とは、封筒作成用原紙１の折り曲げ時に、封筒主面６に向けて、それぞれ、ｙ方向、ｘ方向に移動させるようにしている。
【００３０】
ここで、第二〜第四プレートは、図面上方向（ｚ方向）に向けて、第四プレート４２，４６、第二プレート３４，３６，３２，３０、第三プレート４４，４０の順に位置している。
【００３１】
第三プレート４４，４０の上側には、ｙ方向及びｚ方向に移動する一対の第五プレート５０，５２が位置する。第五プレート５０，５２は、封筒作成用原紙１との接触面が台形状であり、平行辺の長手側の第一辺５０ａ，５２ａをそれぞれ、中央領域４８側に位置するように配置している。また、第二辺５０ｂ、５２ｂは、第三辺５０ｃ、５２ｃよりもそれぞれ長くしている。これは、右第一側面２及び左第一側面８側の折り曲げ位置のｘ方向の長さに比して、右第二側面４及び左第二側面１０側の折り曲げ位置のｘ方向の長さの方が長いことに起因する。
【００３２】
第五プレート５０，５２のｙ方向の移動可能域は、第四辺５０ｄ、５２ｄが、それぞれ、中央領域４８の短辺の近い側まで移動するように設定されている。第五プレート５０，５２のｚ方向の移動可能域は、封筒主面６を含む封筒作成用原紙１の上部から押さえるために十分な区域に設定されている。
【００３３】
ここで、第五プレート５０，５２と第三プレート４４，４０とにより、更に、第四プレート４２，４６と押さえ部材５４とにより、封筒主面６の四辺で封筒主面６の周辺を折り曲げる。具体的には、第五プレート５０，５２の第四辺５０ｄ，５２ｄと、押さえ部材５４の辺５４ａ，５４ｃとをそれぞれ基準として、封筒主面６の四辺を基準に封筒作成用原紙１を折り曲げるようにしている。
【００３４】
また、第五プレート５０，５２と第二プレート３４，３６，３２，３０とにより、封筒作成用原紙１の四隅を折り曲げる。具体的には、第五プレート５０，５２の第二辺５０ｂ，５２ｂを基準に封筒作成用原紙１を折り曲げるようにしている。
【００３５】
図４は、図３に示す封筒作成ユニット１００を作動させることによって封筒を作成する手順を示す封筒の作成工程図である。まず、実際に封筒作成用原紙１を封筒作成ユニット１００内に搬入し、図３に破線で示している載置位置に合わせて載置する。
【００３６】
図４（ａ）に示すように、封筒作成用原紙１を載置し終えると、第五プレート５０，５２をｙｚ方向に移動させる。具体的には、第五プレート５０，５２の第四辺５０ｄ，５２ｄが、図３に示す位置から、封筒主面６と右主側面３との境界線上、封筒主面６と左主側面９との境界線上に位置するまで移動させる。つぎに、第五プレート５０，５２によって封筒作成用原紙１を上から押さえた状態で、第二プレート３４，３６，３２，３０をそれぞれ移動させる。これにより、第二プレート３４，３６，３２，３０の端部と、第五プレート５０，５２の第二辺５０ｂ、５２ｂおよび第三辺５０ｃ、５２ｃとで封筒作成用原紙１の四隅が折られる。
【００３７】
なお、この際、封筒の四隅のいくつかを面取りして、封筒の向きを整えたり、デザイン性を向上させたりしてもよい。この場合には、図４（ａ）に示す工程で、第二プレート３４，３６，３２，３０のいくつかの近傍に、面取り用のプレートを配置しておき、これらを移動させるようにすればよい。
【００３８】
図４（ｂ）に示すように、図４（ａ）の状態から、第三プレート４４，４０をそれぞれ移動させる。これにより、第三プレート４４，４０の端部と、第五プレート５０，５２の第四辺５０ｄ，５２ｄとで封筒作成用原紙１の短辺が折られる。その後、第二プレート３４，３６，３２，３０と、第三プレート４４，４０と、第五プレート５０，５２とがそれぞれ元の位置に戻る。
【００３９】
図４（ｃ）に示すように、押さえ部材５４を移動させ、押さえ部材５４の辺５４ａを中央領域４８の第四プレート４６側の辺上に位置させる。
【００４０】
図４（ｄ）に示すように、図４（ｃ）の状態から、第四プレート４６をｘ方向に移動させる。これにより、第四プレート４６の端部と押さえ部材５４の辺５４ａとで封筒作成用原紙１が折られる。その後、第四プレート４６が元の位置に戻る。つづいて、押さえ部材５４を、やや上昇させてから、第四プレート４２の方へ移動させる。
【００４１】
図４（ｅ）に示すように、押さえ部材５４の辺５４ｃを中央領域４８の第四プレート４２側の上方まで移動すると、押さえ部材５４を下降させる。その後、図４（ｄ）を参照して説明した場合と同様に、第四プレート４２を移動させる。これにより、第四プレート４６の端部と押さえ部材５４の辺５４ｃとで封筒作成用原紙１が折られる。それから、第四プレート４２が元の位置に戻る。また、押さえ部材５４を、やや上昇させてから、第四プレート４６の方へ移動させる。引き続き、押さえ部材５４を、上昇させてから、第四プレート４６の方へ移動させる。こうして、押さえ部材５４を中央領域４８の中央上部に位置させる。
【００４２】
図４（ｆ）に示すように、押さえ部材５４を下降させる。こうして、糊着部１１〜１５に設けられている、例えば糊が内包されているマイクロカプセルを加圧により押しつぶすことによって、必要箇所の糊着を行う。その後、押さえ部材５４及び中央領域４８を、一体で上昇させる。つぎに、押さえ部材５４に設けられているローラ５４ｅ，５４ｆを回転させ、封筒を第三プレート４０側に移動させていき、封筒作成ユニット１００の外へ搬出する。搬出先には、封筒の受け皿が用意されている。
【００４３】
なお、受け皿は複数用意しておき、バッチ処理などによって封筒を高速で作成して、作成した封筒を、例えば宛先に応じて各受け皿にソートするようにしてもよい。
【００４４】
また、上記のマイクロカプセルは、図４を用いて説明した手順の開始前に、封筒作成ユニット１００において糊着部１１〜１５に付せばよい。ただし、後述する印刷ユニットにおける印刷前にマイクロカプセルを設けると、印刷の際に邪魔になるので、以下説明する折り曲げユニット７０内で設ける、あるいは封筒作成ユニット１００内で設けるようにすることが好ましい。
【００４５】
以上説明したように、図４に示す封筒作成ユニット１００によると、押さえ部材５４等で封筒作成用原紙１を押さえて、種々のプレート３４，３６，４４等を移動させるという少ない工程数で、封筒を作成することができる。
【００４６】
図５は、図３に示す封筒作成ユニット１００を含む封書作成装置に設けられている折り畳みユニット７０の動作手順を示す工程図である。本実施形態の場合、例えば、図面右側に、封筒作成ユニット１００が配置されているものとする。
【００４７】
折り畳みユニット７０は、封筒内への封入対象２１を封筒主面６の大きさ以下に折り畳むものである。封入対象２１の折り畳み方の骨子は、封筒作成ユニット１００での封筒作成用原紙１のそれと同様としている。すなわち、まず、紙面を上から押さえ部材で押さえる。その状態で、押さえ部材に隣接するプレートを押さえ部材側に水平移動させる。こうして、押さえ部材の端部を基準に紙面を折り曲げるようにしている。
【００４８】
図５（ａ）に示すように、封入対象２１の各短辺側には、一対のプレート７２，８０（図５（ａ）ではプレート８０を図示せず。図５（ｂ）参照。）が設置されている。プレート７２，８０の上部には、突起部７４，７６，８２，８４が形成されている。プレート７２，８０は、封入対象２１の長手方向に沿って移動可能とされている。
【００４９】
また、封入対象２１の各長辺の外側には、一対のローラ（図示せず）が設置されている。本実施形態の場合、一対のローラのうち図面左側のローラによって、封入対象２１及び封筒作成用原紙１が折り畳みユニット７０に搬入される。そして、封筒作成用原紙１は、一対のローラのうち図面右側のローラによって、封筒作成ユニット１００に向けて搬送される。一方、封入対象２１は、以下説明する折り畳みユニット７０の折り畳み後に、一対のローラのうち図面右側のローラによって、封筒作成ユニット１００に向けて搬出される。
【００５０】
封筒作成用原紙１の封筒作成ユニット１００への搬出後に、封入対象２１が、折り畳みユニット７０に搬入される。この際、搬入対象２１が、封入対象２１がプレート７２の設置方向に対して斜めに搬入されることがある。そこで、封入対象２１をきちんと三つ折りとするために、プレート７２，８０を移動させ、突起部７４，７６，８２，８４により、封入対象２１の向きを整える。この状態で、封入対象２１を、押さえ部材７８によって上から押さえる。ここでの押さえ部材７８の位置は、長辺７８ｂが封入対象２１の折り畳み位置と一致させている。
【００５１】
図５（ｂ）に示すように、プレート８０を移動させ、これにより、押さえ部材７８の長辺７８ｂを基準に、封入対象２１が折られる。その後、押さえ部材７８を、やや上昇させてから、プレート７２方向に移動させる。押さえ部材７８の長辺７８ａを、折り畳み位置と一致するまで移動させたら、押さえ部材７８を下降させる。その後、プレート７２を移動させ、これにより、押さえ部材７８の長辺７８ａを基準に、封入対象２１が折られる。
【００５２】
なお、図５（ｂ）に示す手法で封入対象２１の折り畳みを行うと、封入対象２１の同一面に対して、それぞれ封入対象２１が折られる。これに代えて、プレート７２，８０を相互に上下方向にずらして設置して、これらを例えば同時に移動することによって、封入対象２１の一方の面に対して封入対象２１の一方を折り、封入対象２１の異なる面に対して封入対象２１の他方を折る、つまり、封入対象２１の折り畳み後の長手方向に沿った断面がＺ型になるように折り畳んでもよい。
【００５３】
図５（ｃ）に示すように、封入対象２１を三つ折りした後に、封入対象２１を封筒作成ユニット１００に向けて搬送するためのアーム９０が移動してくる。通常時には、アーム９０は、封筒作成ユニット１００側に位置している。アーム９０は、軸心を基準に回転可能な支持部９２と、支持部９２の底部に形成されている把持部９８と、把持部９８の両端側に上側がヒンジ接続されており把持部９８と共に封入対象２１を把持する一対の爪部９４，９６とを備えている。また、封入対象２１の下、すなわち封入対象２１の載置台には、封入対象２１を把持するときに爪部９４，９６が入り込む一対の溝部８６，８８が形成されている。封入対象２１を把持する際には、アーム９０の爪部９４，９６が、溝部８６，８８の上側に位置するまで移動させる。つづいて、アーム９０を下降させてから、爪部９４，９６を把持部９８側に回動させる。こうして、封入対象２１を、アーム９０によって把持するようにしている。
【００５４】
図５（ｄ）に示すように、アーム９０によって封入対象２１を把持してから、アーム９０を上昇させる。その後に、アーム９０を、回転部９２の軸心を基準に回転させながら、図４に示す封筒作成ユニット１００に向けて移動させる。
【００５５】
図５（ｅ）に示すように、アーム９０によって搬送された封入対象２１は、封筒作成ユニット１００に載置されている封筒作成用原紙１上で把持が解除される。なお、封筒作成用原紙１と封入対象２１にアライメントマークを形成しておき、封筒作成ユニット１００でアライメントマークを用いて封筒作成用原紙１と封入対象２１との位置合わせを行うようにするとよい。
【００５６】
ちなみに、封筒内の封入対象２１は一枚に限定されず、複数枚でもよい。この場合には、一度に複数枚を折り畳みユニット７０で折り畳みしてもよいし、一枚ずつ折り畳みしてもよい。その後は、図４を用いて説明したとおりの順序で、封書が作成される。こうして、封入対象２１が内包されている封書が完成する。
【００５７】
なお、図３〜図５に示すユニットは一例であり、これに限定されるものではない。例えば、アーム９０を取り付けることなく、封筒作成ユニット１００の上側に、折り畳みユニット７０を配置するようにしてもよい。
【００５８】
また、封書作成装置の折り畳みユニット７０の搬入元には、封筒作成用原紙１と封入対象２１とに印刷を行うプリンタなどの印刷ユニットの排紙部を接続してある。なお、印刷は、封筒作成用原紙１と封入対象２１との少なくとも一方にだけ行うようにしてもよい。印刷ユニットで印刷された封筒作成用原紙１および封入対象２１は、折り畳みユニット７０に設置されているローラによって、折り畳みユニット７０内に搬入される。なお、この印刷ユニットによって、以下説明するマッチングのためのバーコードや符号などの印刷、または、透明インクによる印刷を行うとよい。
【００５９】
本実施形態では、封筒と封入対象２１との宛先を一致させるために、封筒と封入対象２１とのマッチング処理を行っている。具体的には、封筒作成用原紙１の表面または裏面の端の方に、固有の番号・記号等が登録されたＩＣチップを貼付け或いはＩＣチップを糊付けしてから固有の番号等を登録し、または、他と識別可能なバーコードや符号などを印刷し、または、透明インクで他と識別可能な符号を印刷するなどして照合マークを形成する。なお、ＩＣチップの貼付けを採用する場合には、ＩＣチップへの書き込み、修正、消去を行うメモリ編集器を用意すればよい。一方、封入対象２１にも、上記照合マークに対応する固有の照合マーク、または封筒の宛先と対応する固有の照合マークを形成しておく。
【００６０】
封筒と封入対象２１との双方に、照合マークを形成する場合の一例としては、１０枚の封筒を郵送する場合には、各封筒に１〜１０までの連番を付し、封入対象２１にも、対応する１〜１０の符号を付すようにすればよい。
【００６１】
封筒と封入対象２１との双方に、照合マークを形成する場合の一例としては、１０枚の封筒を郵送する場合には、各封筒に１〜１０までの連番を付し、封入対象２１にも、対応する１〜１０の符号を付すようにすればよい。
【００６２】
各照合マークの固有の番号等を一対で、または封筒の宛先と封入対象２１に形成されている照合マークとを一対で、テーブルメモリなどに記憶しておく。
【００６３】
さらに、封筒作成ユニット１００に、ＩＣセンサ、またはＯＣＲ、またはインクセンサなどの検知手段を備えておく。そして、検知手段によって、封筒作成用原紙１のＩＣチップに登録されている固有の番号等を検知するとともに、封入対象２１の固有の番号等を検知する。そして、検知した固有の番号等に基づいてテーブルメモリを参照して、対応する封入対象２１の固有の番号に対するマッチング処理を行う。
【００６４】
或いは、検知手段であるところのＣＣＤ撮像素子などで、封筒作成用原紙１に印刷されている封筒の宛先を読み取るとともに、封入対象２１の固有の番号等を読み取る。読み取った宛先に基づいてテーブルメモリを参照して、対応する封入対象２１の宛先に対するマッチング処理を行う。なお、これらのマッチング処理は、ハード的に行ってもソフト的に行ってもよい。なお、ＣＣＤ撮像素子を備える場合には、これによって封入対象２１に印刷されている文字等を読み込み、封入対象２１に所要の印刷がなされているか、さらには、印刷内容の誤字・脱字があるかというチェック等を行うようにしてもよい。
【００６５】
また、封筒作成ユニット１００あるいは折り畳みユニット７０あるいは印刷ユニットで、紙詰まりなどの発生により、正常な動作の続行が不可能となった場合、または、上記のマッチング処理で、封筒と封入対象２１との照合がとれなかった場合には、以下のように対処する。
【００６６】
まず、正常な動作の続行が不可能となったことを、例えば、封筒作成用原紙１が所定のルートを通過しなかったことによって検知すると、検知結果に基づいて、当該ユニット等から警報を発し、ユニット管理者等に詰まった紙を取り除く必要があることを報知する。ユニット管理者は、作成中の封筒および封入対象２１の一式取り出す。また、このユニット側では、作成していた封筒および封入対象２１の再作成をするように他のユニットに通知する。
【００６７】
なお、ユニット管理者の手作業による紙詰まりの解消に代えて、マテリアル・ハンドリング技術を用いてユニット側で紙詰まりの解消を行うようにしてもよい。さらには、正常な動作の続行が不可能となったことの検知に応じて、その封筒の宛先および封入対象を特定し、特定した情報を印刷ユニット等にフィードバックするようにしてもよい。さらには、作成中の封筒および封入対象２１の一式取り出すことに代えて、紙詰まり対象だけの取り出しを行い、これだけの再作成を行うように通知してもよい。
【００６８】
なお、本実施形態の封筒作成ユニットでは、封入対象２１を折り曲げるようにしているが、封筒作成用原紙１を相対的に大きくして、封入対象２１を折り曲げずに封入して封書を作成するようにしてもよい。このためには、具体的には大きく２つの手法がある。第１に、封入対象２１を例えばＡ４サイズとし、封筒作成用原紙１を例えばＡ３サイズとし、封筒作成ユニットの仕様等を、２枚の封筒作成用原紙１で、封入対象２１を挟み込むものに変更して封書を作成すればよい。第２に、封入対象２１を例えばＡ４サイズとし、封筒作成用原紙１をＡ４サイズの３倍の大きさとし、既述の封筒作成装置１００で封筒を作成し、封筒作成ユニットの折り畳み装置７０の仕様等を、封入対象２１を折ることなく封筒作成装置１００へ搬送するように変更して封書を作成すればよい。
【００６９】
図６は、図３〜図５を用いて説明した封筒作成ユニットを含む封書配送システムの模式的な構成を示すブロック図である。図６を用いて、封書配送システムのビジネスモデルについて説明する。
【００７０】
本実施形態では、封書の差出人側で封書を作成せず、封書に記載される封書データを、ファクシミリ電送、ファイル電送、パケット電送などを含む電子電送で送信する。送信された封書データは、封書の差出人と受取人との間を中継する宅配便センターなどで受信される。宅配便センターには、封筒作成ユニットが設置されており、ここで封書が作成され、受取人に宅配されるようにしている。
【００７１】
図６には、家庭、オフィス、ホテル、自動車、船舶、飛行機、郵便局、配達業などを営む運送店又はコンビニエンスストアを含む商店等２０００に、封書作成装置２３００と、封入対象２１と封筒とに印刷を行うプリンタ２２００と、プリンタ２２００に封書データを出力するパーソナルコンピュータ（ＰＣ）２１００とが設置されている。
【００７２】
また、ＰＣ２１００には、インターネット、宇宙衛星通信網などのネットワーク３０００が接続されている。ネットワーク３０００には、プリンタ２２００で印刷する封書データをＰＣ２１００へ送信する送信装置１０００が接続されている。送信装置１０００には、ＰＣ１１００、ＰＤＡ（personal digital assistant）１２００、携帯電話機１３００、ＰＨＳ（Personal Handyphone System）１４００、ファクシミリ装置１５００、公衆電話機１６００などが含まれる。
【００７３】
封書の送信者から、送信装置１０００である携帯電話機１３００などに、封書の受取人の住所・氏名・電話番号、メールアドレス等の情報と、封入対象２１に付加される画像・音声・テキストなどの情報などとを含む封書データが入力されると、通信装置１０００は、その封書データを、ネットワーク３０００を介して送信する。すると、封書データが、運送店等２０００側へ送信される。
【００７４】
運送店等２０００側では、携帯電話機１３００等を通じて送信された封書データを、ＰＣ２１００で受信する。ＰＣ２１００は、受信した封書データをプリンタ２２００に出力する。プリンタ２２００は、ＰＣ２１００から出力された封書データに基づいて、封筒作成用原紙１に受取人の住所・氏名・電話番号等を印刷する。受取人の住所・氏名等が印刷された封筒作成用原紙１は、封書作成装置２３００へ搬送される。
【００７５】
その後、プリンタ２２００は、封書データに基づいて、封入対象２１にデータの内容を印刷する。データの内容が印刷された封入対象２１は、封書作成装置２３００へ搬送される。封書作成装置２３００の動作は、既述の通りである。
【００７６】
こうして作成された封書は、運送店等２０００から、受取人に配送される。なお、封書作成装置２３００等が、商店に設置されている場合は、電話番号等に基づいて受取人に、封書が届いている旨を連絡し、受取人側に受け取りに来させてもよい。また、電話による連絡に代えて、ＰＣ２１００において、例えばソフト的に、受信メールのサブジェクトなどから当該メールに封書データが含まれているか否かを確認し、封書データが含まれている場合にメールから封書データの送り先のメールアドレス（受取人のメールアドレス）を抽出し、抽出したメールアドレスに従って封書が届いている旨の内容を含むメールを送信することにより、受取人に封書が届いている旨の連絡をしてもよい。さらに、ＰＣ２１００は、この連絡を行ったことを示す情報を、メールの差出人のアドレスに従って送信するようにしてもよい。
【００７７】
なお、実際には、ネットワーク３０００には、複数の送信装置１０００及び運送店等２０００の各ＰＣ１１００，２１００が接続されている。また、複数のＰＣ２１００を例えばツリー状、サテライト状に接続してもよい。この場合には、上位乃至中核のＰＣ２１００に、各下位のＰＣ２１００が設置されている住所などの情報を予め登録しておく。そして、送信装置１０００は、一律に、上位のＰＣ２１００に対して、封書に関するデータを送るようにしてもよい。この場合には、上位のＰＣ２１００で受取人の住所等と登録してある情報とのマッチング処理を行い、その結果を用いることで、その住所等の最寄りのＰＣ２１００のへ、送信装置１０００からのデータを転送するようにすればよい。
【００７８】
封書の伝送サービスを行う際には、封書配送システムの保守者、ネットワーク３０００上で情報又はサービスを提供するプロバイダ側、携帯電話機１３００又はＰＨＳ１４００のサービス提供者側、又は運送店等２０００側で封書作成代金、配達サービス代金、情報量等を徴収すればよい。
【００７９】
図７は、他の封書配送システムの模式的な構成を示すブロック図である。図７を用いて、封書配送システムのビジネスモデルについて説明する。図７には、図６に示す送信装置１０００とＰＣ２１００とプリンタ２２００と封書作成装置２３００とをパッケージ化した封書機４０００，５０００と、例えば封書機４０００から封書機５０００へ向けて封書を出したことを示す情報等を受信する封書機５０００のユーザが所有する携帯電話機６０００とを示している。なお、封書機４０００等の態様は図７に示すものに限定されず、例えばプリンタ２２００は外付けとしてもよい。
【００８０】
図７に示す封書配送システムの動作について説明する。例えば封書機４０００から封書機５０００へ向けて封書データを送信するときに、封書機４０００から携帯電話機６０００に対しても、この封書データを送信したことを示す情報を送信する。封書機４０００は、当該送信に先立って、この情報および封書データに、これらをマッチングするための固有の情報を含める。
【００８１】
また、携帯電話機６０００への上記情報を送信するために、既述の封書機４０００内の送信装置１０００は、封書機４０００のユーザに対して、携帯電話機６０００に割り当てられているメールアドレスの入力を行うように促す。これに応じてユーザからメールアドレスが入力されると、送信装置１０００は、このメールアドレスに従って、上記情報を付加したメールを送信する。なお、このメールの送信は、ユーザが、送信装置１０００の指示がなくても行えるようにしてもよい。
【００８２】
封書機５０００のユーザが、携帯電話機６０００で上記メールを受信し、このメールに対応する封書の作成を希望する場合には、封書機５０００に対して、当該封書の作成命令を入力する。この際、メールに含まれている固有の情報も併せて入力する。封書機５０００は、ユーザからの封書の作成命令が入力されると、上記固有の情報と先に送られてきている封書データ内の固有の情報とのマッチング処理を行う。封書機５０００は、マッチング認証が得られると、封書データに基づいて封書の作成を行う。こうして、封書機４０００から送信された封書データに基づいて作成した封書をユーザに提供する。この場合、例えば、封書機５０００内のプリンタ２２００が稼動することを条件として、既述のプロバイダ等が課金を行うようにすればよい。なお、課金は、封書の送信時或いは受信時に、封書機４０００或いは封書機５０００の稼動等を条件に行ってもよい。また課金により得たインカムは、例えば封書機４０００或いは封書機５０００の所有者又は使用者、後述するコンテンツサービス装置７０００の所有者又は使用者で分配してもよい。
【００８３】
なお、封書機４０００から封書機５０００へ向けて封書データを送信することに代えて、封書機４０００から携帯電話機６０００へ向けて封書データを送信するようにしてもよい。この場合には、携帯電話機６０００のユーザは、携帯電話機６０００で受信した封書データを封書機５０００に入力し、封書機５０００で、封書データに基づいて封書の作成を行えばよい。こうすると、ユーザは、封書データを受信したら、商店などに設置されている封書機を用いて、すぐに封書を作成することも可能になる。なお、携帯電話機６０００に代えて、これと同様の機能を有する、ＰＤＡ、ユーザが所有するパーソナルコンピュータ等を用いてもよい。
【００８４】
図８は、別の封書配送システムの模式的な構成を示すブロック図である。図８を用いて、封書配送システムのビジネスモデルについて説明する。図８には、図７に示す封書電送システムに加えて、封書データに画像・音声・テキストなどのコンテンツ情報を付加するコンテンツサービス装置７０００を示している。或いは、封書機４０００側から送信されるコンテンツ情報を保持するとともにそこにアクセスする封書機４０００側から送信されるコンテンツ情報をための情報を示すバーコード、二次元バーコード、埋め込みＩＣタグ等に対応するデータを封書データに付加する。
【００８５】
図８に示す封書配送システムでは、例えば封書機４０００から封書機５０００へ向けて封書データを送信するときに、コンテンツサービス装置７０００を中継して送信するようにしている。コンテンツサービス装置７０００では、予め複数のコンテンツ情報を用意しておき、封書機４０００から送信される封書データに、指示されたコンテンツ情報を付加して、封書機５０００へ転送するようにしている。或いは、封書機４０００側から送信されるコンテンツ情報を保持すると共に、そこにアクセスするためのバーコード等に対応するデータを、封書データに付加して、封書機５０００へ転送するようにしている。
【００８６】
なお、上記バーコード等を付すことに代えて、封書機５０００側に、例えば、二値データと音声データとを対応させて保持する手段と、二次元バーコード等を読み取る手段と、読み取られバーコードを二値データに変換する手段と、変換された二値データに対応する音声データ等を読み出す手段と、読み出された音声データ等を出力する手段とを備える装置を用意しておく。そして、コンテンツサービス装置７０００において、封書機４０００側から送信されるコンテンツ情報を二値データに変換し、変換した二値データに対応する二次元バーコード等を作成して封書データに付加してもよい。
【００８７】
具体的には、まず、例えば封書機４０００からコンテンツサービス装置７０００に向けて、封書データと、封書データに付加するコンテンツ情報を指示する指示データとを送信する。コンテンツサービス装置７０００は、封書機４０００からの封書データ及び指示データを受信すると、封書データに対して、指示データに対応するコンテンツ情報を付加してから封書機５０００へ向けて送信する。また、封書機４０００或いはコンテンツサービス装置７０００から、携帯電話機６０００に対して、封書データを送信したことを示す情報を送信する。こうして、封書内の封入対象２１に記載されている内容に応じたコンテンツ（例えば、デザイン等）を、封書に施すことが可能になる。
【００８８】
封書機４０００から携帯電話機６０００への情報の送信については、例えば図７を用いて説明した手法と同様の手法を採用すればよい。コンテンツサービス装置７０００から携帯電話機６０００への情報の送信は、封書機４０００からコンテンツサービス装置７０００に対して封書データ及び指示データとともに、携帯電話機６０００に割り当てられているメールアドレスを送信するようにし、コンテンツサービス装置７０００側で例えばソフト的に、携帯電話機６０００への配信を行うようにすればよい。この後、動作は図７に示す封書配送システムの場合と同様である。
【００８９】
また、図７に示す封書配送システムの場合と同様に、コンテンツサービス装置７０００から携帯電話機６０００へ封書データ等を送信するようにしてもよい。なお、封書配送料金については、封書機５０００内のプリンタ２２００が稼動することを条件として、コンテンツサービス装置７０００側で課金するようにしてもよい。
【００９０】
封書機４０００等には、封書の差出人の名前等及び封入対象２１のサブジェクト（題名）或いは封入対象２１の要約等を表示するディスプレイを設けるとともに、ディスプレイへの表示対象を封書データから抽出する手段と、抽出された表示対象をディスプレイに表示する手段と、封書の作成に先だって封書の受信者を認証する認証パスワードの入力を促す手段と、認証パスワードによって受信者の照合がとれたことを条件としてプリンタ２２００を稼動する手段と、封書データの返信或いは破棄を行う手段とのうち、いくつかを備えるようにしてもよい。
【００９１】
そして、例えば封書機５０００で封書データを受信した場合などに、ディスプレイに封書の差出人の名前等を表示する。この際、その封書を見たくない場合には対応する封書データを返信或いは破棄する。こうすれば、プリンタの稼動を条件として課金する場合には、封書の受取人側で不要な課金が発生しない。
【００９２】
一方、封書の受取人が、封書を作成しようとした場合には、所要の認証パスワードを封書機５０００へ入力する。認証パスワードは、予め固有の認証パスワードを設定するようにしてもよいし、例えば携帯電話機６０００へ封書データを送信したことを示す情報に加えて送信するようにしてもよい。この際、認証パスワードの照合は、前者の場合、封書機５０００に認証パスワードに対応する情報を設定しておけばよい。後者の場合、携帯電話機６０００へ送信する認証パスワードに対応する情報を封書機５０００へ送信しておけばよい。
【００９３】
認証パスワードに基づく照合がとれた場合には、プリンタ２２００を稼動する。こうして、封書機５０００で、封書データに基づいて封書の作成を行う。一方、認証パスワードに基づく照合がとれない場合には、プリンタ２２００を稼動せず、封書機４０００のユーザ、封書配送システムの保守者等へ連絡する。加えて、封書データの返信或いは破棄を行うようにしてもよい。こうすれば、封書に封入される封入対象の内容の機密性が担保される。
【００９４】
図９は、図６〜図８に示すプリンタ２２００の各種機能を搭載した封書作成装置２４００の模式的な構成図である。図９には、以下説明する印刷部２４１０と、封筒作成ユニット１００と、折り畳みユニット７０とに大別される。もっとも、ディジタルカメラプリントを行う場合には、内容物自体を折り畳みユニット７０によって折り畳む必要性に乏しいという点には、留意されたい。
【００９５】
印刷部２４１０は、内容物となる普通紙、印画紙などの印刷媒体２４０５が、図面手前奥方向が長辺となる態様で複数収納される用紙カセット２４０６を有する。用紙カセット２４０６の例えば下側には、封書となる例えばＡ４などの汎用サイズ等の印刷媒体２４０５’が、図面手前奥方向が短辺となる態様で複数収納される用紙カセット２４０６’を有する。
【００９６】
各用紙カセット２４０６，２４０６’の用紙搬出口には、印刷媒体２４０５，２４０５’を１枚ずつ分離させて搬送するためのホッピングローラ２４０７，２４０７’が配設されている。ホッピングローラ２４０７，２４０７’の下流には、印刷媒体２４０５，２４０５’を搬送するために、ピンチローラ２４０８と搬送ローラ２４１０とが配設されている。さらに、これらの下流には、印刷媒体２４０５，２４０５’を、その斜行を修正して搬送するために、ピンチローラ２４０９とレジストローラ２４１１とが配設されている。
【００９７】
レジストローラ２４１１等の下流には、例えば、赤（Ｒ）・緑（Ｇ）・青（Ｂ）の各色の画像を形成するプロセスユニット２４０１〜２４０３を有する。プロセスユニット２４０１〜２４０３の各色は例示であり、これらに代えて、イエロー・マゼンダ・シアン・ブラックなどの画像を形成できるものとしてもよい。
【００９８】
各プロセスユニット２４０１〜２４０３には、像担持体としての感光体ドラム２４０１ａ〜２４０３ａが図面に対して時計回りに回転可能に配置されている。感光体ドラム２４０１ａ〜２４０３ａに隣接して、感光体ドラム２４０１ａ〜２４０３ａの表面に電荷を供給し、これを帯電させる帯電装置２４０１ｂ〜２４０３ｂが配設されている。
【００９９】
感光体ドラム２４０１ａ〜２４０３ａの上部には、帯電装置２４０１ｂ〜２４０３ｂによって帯電された感光体ドラム２４０１ａ〜２４０３ａの表面に選択的に光を照射して、静電潜像を形成する露光装置２４０１ｃ〜２４０３ｃが配設されている。
【０１００】
また、感光体ドラム２４０１ａ〜２４０３ａの近傍には、露光装置２４０１ｃ〜２４０３ｃによって静電潜像が形成された感光体ドラム２４０１ａ〜２４０３ａの表面に、色トナーを付着させて顕像を発生させる現像装置２４０１ｄ〜２４０３ｄが配設されている。
【０１０１】
さらに、感光体ドラム２４０１ａ〜２４０３ａには、現像装置２４０１ｄ〜２４０３ｄによる色トナーの顕像を印刷媒体２４０５，２４０５’へ転写した後に、感光体ドラム２４０１ａ〜２４０３ａ上の残留した色トナーを除去するクリーニング装置２４０３ｅが配設されている。
【０１０２】
プロセスユニット２４０１〜２４０３の各感光体ドラムに対向する位置には、それぞれ半導電性のゴム等によって形成された転写ローラ２４１２が配設されている。各転写ローラ２４１２は、感光ドラム２４０１ａ〜２４０３ａ上に付着された色トナーによる顕像を印刷媒体２４０５，２４０５’に転写する転写時に、感光体ドラム２４０１ａ〜２４０４ａの表面電位とこれら各転写ローラ２４１２の表面電位に電位差を付与するための電位が印加されている。
【０１０３】
プロセスユニット２４０１〜２４０３の下流には、定着装置２４１３が配設されている。定着装置２４１３は、加熱ローラ２１３ａとバックアップローラ２１３ｂとを有している。これらは、印刷媒体２４０５，２４０５’上に転写された色トナーを加圧・加熱することに、印刷媒体２４０５，２４０５’上に色トナーを定着する。
【０１０４】
定着装置２４１３の下流には、定着装置２４１３から搬出された印刷媒体２４０５，２４０５’を、折り畳みユニット７０側へ搬送する、ピンチローラ２４１６、２４１７及び搬送ローラ２４１４，２４１５が配設されている。
【０１０５】
折り畳みユニット７０の上流には、ピンチローラ２４１７とレジストローラ２４１５とが配設されている。折り畳みユニット７０の構成の概要は、図５ａ等に示したとおりである。ただし、折り畳みユニット７０は、図５ａ等に示したものと対比して、アーム９０を用いない構成としている。アーム９０は、既述のように、封書となる印刷媒体に対して、内容物を回転搬送等するものである。封書作成装置２４００では、用紙カセット２４０６，２４０６’に、各印刷媒体２４０５，２４０５’を直交させて収容しているので、内容物を回転させる必要がない。アーム９０を用いない代わりに、押さえ部材７８には、内容物となる用紙を封筒作成ユニット１００へ向けて搬送するローラ７８ｃ，７８ｄを設けている。
【０１０６】
折り畳みユニット７０の下流には、ピンチローラ２４１７とレジストローラ２４１５とが配設されている。これらの下流には、封筒作成ユニット１００が位置している。封筒作成ユニット１００の構成の概要は、図３等に示したとおりである。ただし、封書作成装置２４００では、押さえ部材５４に取り付けるローラ５４ｅ，５４ｆの向きを、図３等に示したものと直交する方向にしている。折り畳みユニット７０を経て作成された封書は、ピンチローラ２４２４と搬出ローラ２４２３によって、搬出口に搬出される。
【０１０７】
ここで、本実施形態では、印刷部２４１０と折り畳みユニット７０と封書作成ユニット１００とを、封書作成装置２４００内に組み込んである。このため、内容物の内容の秘匿性は担保される。
【０１０８】
なお、図９には、印刷部２４１０の上方に、折り畳みユニット７０と封書作成ユニット１００とを設けた立体的なタイプの封書作成装置の例を説明したが、印刷部２４１０の水平方向に、折り畳みユニット７０と封書作成ユニット１００とを設けてもよい。
【０１０９】
さらに、印刷部２４１０を含まない、折り畳みユニット７０及び封書作成ユニット１００を備える封書作成装置とすることもできる。この場合、折り畳みユニット１００の用紙搬入口付近は、既存のプリンタなどの印刷装置の用紙搬出口に着脱可能なように構成するとよい。この際、印刷装置の用紙搬出口と折り畳みユニット１００の用紙搬入口との間を、外部から見えないようにする等により、上記秘匿性を担保する。なお、秘匿性の担保は、強度があるカバー等で印刷装置の用紙搬出口と折り畳みユニット１００の用紙搬入口を被うことで実現してもよい。
【０１１０】
また、既存の印刷装置の用紙搬出口に着脱可能な封書作成装置の場合には、ピンチローラ２４１７とレジストローラ２４１５の上流に、用紙の到来を検知するセンサを設けておく。そして、このセンサで用紙の到来を検知した場合には、これをトリガとして、ピンチローラ２４１７とレジストローラ２４１５を回転させ、その後、折り畳みユニット１００等を駆動すればよい。
【０１１１】
さらには、既存の印刷装置の給紙トレーが一段しかない場合には、例えば、この給紙トレーを用紙カセット２４０６’として用い、かつ、折り畳みユニット７０側に別途給紙トレーを設けて、これを用紙カセット２４０６として用いればよい。
【産業上の利用可能性】
【０１１２】
本発明は、小売業、印刷業、配達業、通信業で利用することができる。
【図面の簡単な説明】
【０１１３】
【図１】本発明の実施形態の封筒に係る封筒作成用原紙１の模式図である。
【図２】図１に示す封筒作成用原紙１を用いる封筒の作成工程の概略図である。
【図３】図１に示す封筒作成用原紙１を用いて封筒の作成する封筒作成装置１００の主要構成部分の模式的な斜視図である。
【図４ａ】図３に示す封筒作成装置１００を作動させることによって封筒を作成する手順を示す封筒の作成工程図である。
【図４ｂ】図３に示す封筒作成装置１００を作動させることによって封筒を作成する手順を示す封筒の作成工程図である。
【図４ｃ】図３に示す封筒作成装置１００を作動させることによって封筒を作成する手順を示す封筒の作成工程図である。
【図４ｄ】図３に示す封筒作成装置１００を作動させることによって封筒を作成する手順を示す封筒の作成工程図である。
【図４ｅ】図３に示す封筒作成装置１００を作動させることによって封筒を作成する手順を示す封筒の作成工程図である。
【図４ｆ】図３に示す封筒作成装置１００を作動させることによって封筒を作成する手順を示す封筒の作成工程図である。
【図５ａ】図３に示す封筒作成装置１００を含む封筒作成ユニットに設けられている折り畳み装置７０を作動させることによって封入対象を作成する手順を示す作成工程図である。
【図５ｂ】図３に示す封筒作成装置１００を含む封筒作成ユニットに設けられている折り畳み装置７０を作動させることによって封入対象を作成する手順を示す作成工程図である。
【図５ｃ】図３に示す封筒作成装置１００を含む封筒作成ユニットに設けられている折り畳み装置７０を作動させることによって封入対象を作成する手順を示す作成工程図である。
【図５ｄ】図３に示す封筒作成装置１００を含む封筒作成ユニットに設けられている折り畳み装置７０を作動させることによって封入対象を作成する手順を示す作成工程図である。
【図５ｅ】図３に示す封筒作成装置１００を含む封筒作成ユニットに設けられている折り畳み装置７０を作動させることによって封入対象を作成する手順を示す作成工程図である。
【図６】図３〜図５を用いて説明した封筒作成ユニットを含む封書配送システムの模式的な構成を示すブロック図である。
【図７】他の封書配送システムの模式的な構成を示すブロック図である。図７を用いて、封書配送システムのビジネスモデルについて説明する。
【図８】別の封書配送システムの模式的な構成を示すブロック図である。
【図９】図６〜図８に示すプリンタ２２００の各種機能を搭載した封書作成装置２４００の模式的な構成図である。
【符号の説明】
【０１１４】
１  封筒作成用原紙
２  右第一側面
３  右主側面
４  右第二側面
５  第一裏面
６  封筒主面
７  第二裏面
８  左第一側面
９  左主側面
１０  左第二側面
６０  裁置台
３４，３６，３２，３０  第二プレート
４２，４６  第四プレート
４４，４０  第三プレート
４８  中央領域
５０，５２  第五プレート
５４  押さえ部材
７０  折り曲げ装置
７２，８０  プレート
７４，７６，８２，８４  突起部
７８  押さえ部材
８６，８８  溝部
９０  アーム
９２  支持部
９４，９６  爪部
９８  把持部
１００  封筒作成装置
１０００  送信装置
１１００  ＰＣ
１２００  ＰＤＡ
１３００  携帯電話機
１４００  ＰＨＳ
２０００  運送店等
２１００  パーソナルコンピュータ（ＰＣ）
２２００  プリンタ
２３００  封書作成装置
３０００  ネットワーク
４０００，５０００  封書機
６０００  携帯電話機
７０００  コンテンツサービス装置
【図１】
2007105885.tif 000003
【図２】
2007105885.tif 000004
【図３】
2007105885.tif 000005
【図４ａ】
2007105885.tif 000006
【図４ｂ】
2007105885.tif 000007
【図４ｃ】
2007105885.tif 000008
【図４ｄ】
2007105885.tif 000009
【図４ｅ】
2007105885.tif 000010
【図４ｆ】
2007105885.tif 000011
【図５ａ】
2007105885.tif 000012
【図５ｂ】
2007105885.tif 000013
【図５ｃ】
2007105885.tif 000014
【図５ｄ】
2007105885.tif 000015
【図５ｅ】
2007105885.tif 000016
【図６】
2007105885.tif 000017
【図７】
2007105885.tif 000018
【図８】
2007105885.tif 000019
【図９】
2007105885.tif 000020